(57)【要約】【課題】スタンバイモードであってもコンテンツリストが素早く取得でき、ユーザの待ち負担を軽減することのできる情報蓄積装置を提供する。【解決手段】ネットワークに接続され、他の機器からの要求に応じて蓄積しているコンテンツを送信し、かつ通常モードとスタンバイモードを備えた情報蓄積装置において、通常モードでもスタンバイモードでも利用可能なコンテンツ情報記憶部を備え、コンテンツ情報記憶部にもコンテンツリストを蓄積しておく。情報蓄積装置がコンテンツリスト要求メッセージを受信した時、スタンバイモードであった場合は、コンテンツ情報記憶部からコンテンツリストを読み取って送信する。【選択図】図１
2011130450.tif 000002
【特許請求の範囲】
【請求項１】
外部機器とネットワークにより接続され、
データと前記データの名称を含むデータ情報をコンテンツリストとして記憶する第１の記憶手段と、
前記第１の記憶手段に記憶されたデータ及びコンテンツリストの読み出し、書き込みを制御する制御手段と、
前記外部機器からのコンテンツリスト送信要求を受け、前記第１の記憶手段が記憶しているコンテンツリストを、前記制御手段を介して取得して、前記外部機器に送信する通信制御手段と、を備え、
前記第１の記憶手段、前記制御手段は未使用状態にある場合は電力供給を抑制する情報蓄積装置であって、
前記第１の記憶手段が記憶しているコンテンツリストを記憶し、常に電源が供給されている第２の記憶手段を備え、
前記通信制御手段は前記コンテンツリストを第１の記憶手段または第２の記憶手段のいずれかより取得することを特徴とする情報蓄積装置。
【請求項２】
通信制御手段は、第１の記憶手段および制御手段が電力供給抑制状態（以下、スタンバイモード）にある場合、第２の記憶手段が記憶しているコンテンツリストを取得して、外部機器へ送信することを特徴とする請求項１記載の情報蓄積装置。
【請求項３】
第２の記憶手段は、前記コンテンツの一部をダイジェストデータとして記憶し、
通信制御手段は、第１の記憶手段および制御手段がスタンバイモードにある場合には、前記ダイジェストデータを外部機器に送信することを特徴とする請求項１記載の情報蓄積装置。
【請求項４】
データが、連続再生可能なデータである場合、
第２の記憶手段は、少なくとも、第１の記憶手段と制御手段がスタンバイモードより電力供給状態（以下、通常モード）へ移行している間、再生するために必要なデータをプレビューデータとして記憶し、
通信制御手段は、前記第１の記憶手段と前記制御手段がスタンバイモードにある場合、少なくとも通常モードになるまでは、前記プレビューデータを前記外部機器へ送信することを特徴とする請求項１記載の情報蓄積装置。
【請求項５】
第１の記憶手段は、着脱可能であることを特徴とする請求項１ないし請求項４記載の情報記憶装置。
【請求項６】
通信制御手段は、第１の記憶手段と制御手段が通常モードよりスタンバイモードに移行する場合は、前記第１の記憶手段が記憶しているデータのコンテンツリストを前記制御手段を介して取得し、前記第２の記憶手段に記憶することを特徴とする請求項１ないし請求項５記載の情報蓄積装置。
【請求項７】
通信制御手段は、第１の記憶手段のコンテンツリストが更新されると、前記第１の記憶手段よりコンテンツリストを取得し、第２の記憶手段に記憶することを特徴とする請求項１ないし請求項５記載の情報蓄積装置。
【請求項８】
通信制御手段は、第１の記憶手段が装着されると、前記第１の記憶手段が記憶しているコンテンツリストを制御手段を介して取得し、第２の記憶手段に記憶することを特徴とする請求項５記載の情報蓄積装置。
【請求項９】
通信制御手段は、第１の記憶手段が排出されると、前記第２の記憶手段が記憶している前記第１の記憶手段が記憶していたコンテンツリストを削除することを特徴とする請求項５記載の情報蓄積装置。
【発明の詳細な説明】
【技術分野】
【０００１】
本発明は、動画像や音楽、テキスト等のデータをコンテンツとして蓄積し、ネットワーク経由でそれらコンテンツデータを他機器からの要求に応じて送信することができるネットワークに接続可能な情報蓄積装置に関するものであり、特にスタンバイモードを備えたものに関する。
【背景技術】
【０００２】
近年、ブロードバンドの普及により、一般家庭においても安価に常時接続環境が実現できるようになった。こうした背景を受け、ネットワークに接続可能な家庭用電化機器が普及し始めている。これらの機器の特徴として、ネットワーク経由で機器操作を行ったり、ネットワークに繋がれた他の端末から機器の持つ機能を利用したりすることが挙げられる。
【０００３】
電化機器の形態の一つとして、ハードディスク等の大容量記憶装置を持ち、そこにＴＶ番組や、ホームビデオによって撮影された動画像のコンテンツを蓄積することができる情報蓄積装置がある。情報蓄積装置の例としては、ネットワーク対応ＨＤＤレコーダーが挙げられる。このＨＤＤレコーダーに蓄積されたコンテンツは、ネットワークに接続された他の機器で視聴することもできる。
【０００４】
例えば、居間にあるＨＤＤレコーダーを家庭内ＬＡＮに接続し、同じくＬＡＮに接続された寝室のパソコンから、ＨＤＤレコーダーで録画したいＴＶ番組予約を行うことが可能である。また、ＨＤＤレコーダーが録画したＴＶ番組の映像データを、ネットワーク経由でやり取りすることによって、居間に行かずとも、寝室のパソコン上で楽しむことができる。
【０００５】
一方、家庭用電化機器には、省エネルギー法の規制や、昨今の環境配慮志向の高まりに応えるために、消費電力を抑えるための仕組みとして、「スタンバイモード」が導入されていることが多い。ＰＣの分野などでは、サスペンドやスリープと呼ばれることもある。また、スタンバイモードは、省電力目的のほかに、無駄な稼動による部品の劣化を防ぐ目的でも利用される。
【０００６】
ここでは、ＨＤＤレコーダーを例にあげてスタンバイモードについて説明する。これらの機器は、ユーザが録画された映像を視聴していなかったとしても、タイマー予約された番組の録画などに備えるため、常に通電された状態であることが求められる。しかし、予約録画の待機のために、機器全体を機能させることは、無駄な電力消費を生じてしまう。そこで、待機中でも必要な部位（例えば、時刻表示部やリモコン受信部）への電力供給のみに絞り、残りの部位に対しては電力供給を遮断するなどして、機器の消費電力量を抑える状態に移行する。この状態がスタンバイモードである。
【０００７】
スタンバイモードでは、動作する機能が限られる。従って、スタンバイモードで利用できない機能を使用する場合、その動作に必要な部位へ電力供給を行って、起動させることになる。しかしながら、スタンバイモードから機器が完全に立ち上がるまでには、内部ＲＡＭ（Ｒａｎｄｏｍ  Ａｃｃｅｓｓ  Ｍｅｍｏｒｙ）のチェック、機器が有するＩ／Ｏデバイスの認識、機器制御プログラムのロード、内部状態の初期化などで、ある程度の時間を必要とされる。
【０００８】
ネットワーク対応機器においては、ネットワーク経由での機器操作を受け付けるために、スタンバイモードであっても、ネットワークインタフェース部分に対して電力供給している場合が多い。しかし、それ以外の部分は、一般の機器と同様である。
【０００９】
図１３は、ネットワーク１０１を介して、情報蓄積装置１０２と、情報蓄積装置１０２に蓄積されたコンテンツを利用するパソコンやＰＤＡ（Ｐｅｒｓｏｎａｌ  Ｄｉｇｉｔａｌ  Ａｓｓｉｓｔａｎｔ）などの外部端末１０３との接続関係を表すネットワーク構成の一例である。また、図１４は、ネットワークに対応した従来の情報蓄積装置１０２のブロック図である。以下、図を用いて情報蓄積装置１０２の各部を説明する。
【００１０】
情報蓄積装置１０２は、動画像などのコンテンツデータを蓄積・管理する本体部１１０、本体部１１０に電力を供給する電源制御部１２０、本体部１１０への電力供給の状態を切替えるための電源スイッチ１３０、ネットワークに接続するための通信部１４０、通信部１４０が受信したメッセージを解釈したり、ネットワーク１０１に送信するためのデータを構築したりするための通信制御部１５０から成る。さらに本体部１１０は、ハードディスクなどの記憶部１１１と、記憶部１１１に対するデータの読み書きやデータ管理などを行うＣＰＵ、メモリ、プログラム等で構成される制御部１１２を持つ。
【００１１】
記憶部１１１は、動画像や音楽、文章などのコンテンツデータを蓄積するとともに、それぞれのコンテンツデータについてコンテンツ名称、データ形式、データ容量、などで構成されるコンテンツ情報を蓄積する。また、コンテンツ情報の目録をコンテンツリスト１１５として蓄積する。図１５の（ａ）に記憶部１１１、（ｂ）にコンテンツリスト１１５の一例を示す。
【００１２】
制御部１１２は、記憶部１１１に対してコンテンツデータを読み書きしたり、コンテンツデータを検索したり、コンテンツ情報やコンテンツリスト１１５を読込む。また、制御部１１２は、通信制御部１５０からコンテンツリスト要求もしくはコンテンツデータ要求命令を受けると、コンテンツリスト１１５や所望のコンテンツデータを記憶部１１１から読み出し、通信制御部１５０に渡す。
【００１３】
電源制御部１２０は、本体部１１０に対して、駆動のために必要な電力を供給する。ここで、電力供給を受けて本体部１１０が起動している状態を「通常モード」、電力供給が遮断されて本体部が休止している状態を「スタンバイモード」とする。この２つの状態を、情報蓄積装置１０２の動作モードとする。スタンバイモードの時、本体部１１０の機能は利用できない。
【００１４】
通常モードからスタンバイモードに移行する時、電源制御部１２０は、制御部１１２に対して動作モード切替命令を出す。この時、制御部１１２は、動作中のプログラムの終了処理を行ったり、メモリ上のデータを退避したりするといった、動作モード切替処理を行う。動作モード切替処理が完了すると、制御部１１２から電源制御部１２０に処理完了の旨が通知され、その後、本体部への電力供給が遮断されたスタンバイモードに入る。スタンバイモードから通常モードに移行する時は、電源制御部１２０は、本体部への電力供給を開始する。この時、制御部１１２では、メモリの初期化やデバイスチェック、プログラムの開始処理を行った後、本体部１１０が稼動した通常モードに入る。このように、動作モード切替には、制御部１１２での処理を必要とするため、ある程度の時間を必要とする。
【００１５】
また、電源制御部１２０は、電源スイッチ１３０や通信制御部１５０からの動作モード切替命令を受けて、本体部１１０への電力供給を切替える。この時、上記で既に説明したように、さらに電源制御部１２０は、通信制御部１５０から動作モード確認命令を受けると、現在の動作モードが通常モードであるか、スタンバイモードであるかを応答する。
【００１６】
電源スイッチ１３０は、情報蓄積装置１０２の外面に取り付けた電源ボタンなどである。ボタンの押下などにより電源スイッチ１３０が作動すると、電源制御部１２０に対して、動作モード切替命令を出す。
【００１７】
通信部１４０は、ＬＡＮなどに接続するためのネットワークインタフェースであり、ネットワーク１０１と接続される。通信部１４０は、ネットワーク１０１に接続された外部端末１０３から、コンテンツリスト要求メッセージやコンテンツ閲覧要求メッセージを受信すると、それらを通信制御部１５０に伝達する。また、通信制御部１５０からコンテンツリスト１１５やコンテンツデータを受け取り、外部端末１０３に向けて送信する。
【００１８】
通信制御部１５０は、通信部１４０からコンテンツリスト要求メッセージが伝達されると、そのメッセージを解釈してコンテンツリスト要求を制御部１１２に伝える。そして制御部１１２から渡されたコンテンツリスト１１５を通信部１４０に渡す。通信部１４０からコンテンツ閲覧要求メッセージが伝達された場合は、そのメッセージを解釈して所望のコンテンツ閲覧要求を制御部１１２に伝え、制御部１１２から渡されたコンテンツデータを通信部１４０に渡す。
【００１９】
また、通信制御部１５０は、電源制御部１２０に対して、現在の情報蓄積装置１０２の動作モードを取得する動作モード確認命令を出し、その結果を受け取る。さらに通信制御部１５０は、電源制御部１２０に動作モード切替命令を出す。
【００２０】
以上の構成に基づき、情報蓄積装置１０２が外部端末１０３からのコンテンツリスト取得要求を受け、コンテンツリスト１１５を送信する手順を図１６、図１７を用いて説明する。
【００２１】
図１６は、情報蓄積装置１０２が通常モードで動作していた場合の、外部端末１０３と情報蓄積装置間１０２のシーケンスを示す。
【００２２】
情報蓄積装置１０２において、通信部１４０は、外部端末１０３からコンテンツリスト要求メッセージを受け取ると（ステップＳ１１）、制御部１１２によってコンテンツリストが記憶部１１１から読み出される（ステップＳ１２）。そして、コンテンツリスト１１５が通信制御部１５０を経て通信部１４０に渡され、外部端末に向けて送信される（ステップＳ１３）。
【００２３】
図１７は、情報蓄積装置１０２がスタンバイモードで動作していた場合の、外部端末１０３と情報蓄積装置１０２間のシーケンスである。情報蓄積装置１０２の通信部１４０が、外部端末１０３からコンテンツリスト要求メッセージを受け取ると（ステップＳ２１）、通信制御部１５０は電源制御部１２０に対して動作モード切替命令を出し、通常モードへの移行が行われる（ステップＳ２２）。その後、本体部が起動した時（ステップＳ２３）、通信制御部１５０は、制御部１１２に対してコンテンツリスト要求を渡し、以下同様にしてコンテンツリスト１１５が読み出され（ステップＳ２４）、コンテンツリスト１１５が外部端末１０３に向けて送信される（ステップＳ２５）。
【００２４】
しかしながら、情報蓄積装置１０２がスタンバイモードで動作していた場合、通常モードへの切り替えを必要とする分、実際にコンテンツリスト１５０が送信されるまで、外部端末１０３を操作するユーザは多く待たされることになる。
【００２５】
そこで特許文献１では、情報蓄積装置の電源状態に関わらず、ファイル管理情報（コンテンツリストに相当）を入手できるように、ネットワーク上のホームサーバに情報蓄積装置のファイル管理情報を持たせておく方法が提案されている。
【００２６】
情報蓄積装置１０２の通信部１４０が、外部端末１０３からコンテンツ閲覧要求メッセージを受け取った場合の処理は上記説明と同様である。情報蓄積装置１０２が通常モードで動作していた場合は、所望のコンテンツデータが記憶部１１１から読み出され、通信部１４０から外部端末１０３に向けて送信され、スタンバイモードで動作していた場合は、通信制御部１５０が動作モード切替命令を出し、通常モードに切り替わってから、所望のコンテンツデータが送信される。
【先行技術文献】
【特許文献】
【００２７】
【特許文献１】特開２００４−３８６７５号公報
【発明の概要】
【発明が解決しようとする課題】
【００２８】
特許文献１における方法を用いれば、上記の課題は解決する反面、情報蓄積装置毎にファイル管理情報のアップロード先を設定する必要があるため、ユーザの手間を生じる。また、ファイル管理情報用のホームサーバを用意する必要がある。
【００２９】
さらに、ユーザがコンテンツを閲覧しようとした時、情報蓄積装置がスタンバイモードで動作していた場合は、通常モードへの復帰を待たなければ、実際のコンテンツ内容を閲覧することができない問題がある。先に述べたコンテンツリスト取得時に問題と同様に、実際にコンテンツを閲覧できるようになるまでユーザを長く待たせてしまうことになる。
【００３０】
本発明は、このような事情に鑑みてなされたもので、情報蓄積装置がスタンバイモードで動作していた場合でも、コンテンツリストを素早く取得できることを目的とする。加えて、スタンバイモードの情報蓄積装置からコンテンツを閲覧する時の、ユーザの待ち負担を軽減することを目的とする。
【課題を解決するための手段】
【００３１】
上記課題を解決するために、本発明の情報蓄積装置は、常に電力供給される第２の記憶装置を設け、第１の記憶装置が記憶しているコンテンツリストを第２の記憶装置にも記憶させ、情報蓄積装置がスタンバイモードで動作している場合に、外部機器よりコンテンツリスト送信要求があった場合には、第２の記憶装置が記憶しているコンテンツリストを使用する。
【発明の効果】
【００３２】
以上のように、本発明の情報蓄積装置によれば、情報蓄積装置がスタンバイモードで動作していたとしても、ユーザを待たせることなくコンテンツリストが取得可能である。さらに、スタンバイモードで動作する情報蓄積装置からコンテンツを取得する時の、ユーザの待機時間を軽減することができる。
【図面の簡単な説明】
【００３３】
【図１】本発明の実施の形態１における情報蓄積装置の一構成例を示すブロック図
【図２】同情報蓄積装置のコンテンツリスト要求を受信する手順を示すフローチャート
【図３】同スタンバイモードの情報蓄積装置が外部端末からコンテンツリスト要求を受信した時の、情報蓄積装置と外部端末間のやり取りを示した図
【図４】同スタンバイモード移行時の情報蓄積装置における手順を示すフローチャート
【図５】同コンテンツデータが更新された時の情報蓄積装置における手順を示すフローチャート
【図６】同記憶部が取り外し可能なメディアであった場合における情報蓄積装置での手順を示すフローチャート
【図７】本発明の実施の形態２における情報蓄積装置の一構成例を示すブロック図
【図８】同スタンバイモードの情報蓄積装置が外部端末からコンテンツ閲覧要求を受信した時の、情報蓄積装置と外部端末間のやり取りを示した図
【図９】本発明の実施の形態３における情報蓄積装置の一構成例を示すブロック図
【図１０】同コンテンツデータとプレビューデータの関係の一例を表した図
【図１１】同スタンバイモードの情報蓄積装置が外部端末からコンテンツ閲覧要求を受信した時の、情報蓄積装置と外部端末間のやり取りを示した図
【図１２】同スタンバイモードの情報蓄積装置が外部端末からコンテンツ閲覧要求を受信した時のデータの流れを示した図
【図１３】情報蓄積装置と外部端末の接続関係を示した図
【図１４】従来例における情報蓄積装置の構成を示すブロック図
【図１５】記憶部に蓄積されるコンテンツデータとコンテンツ情報、コンテンツリストを示した図
【図１６】従来例における通常モードの情報蓄積装置が外部端末からコンテンツリスト要求を受信した時の、情報蓄積装置と外部端末間のやり取りを示した図
【図１７】従来例における、スタンバイモードの情報蓄積装置が外部端末からコンテンツリスト要求を受信した時の情報蓄積装置と外部端末間のやり取りを示した図
【発明を実施するための形態】
【００３４】
以下に、本発明の実施の形態について、図表を交えながら説明する。
【００３５】
（実施の形態１）
図１は、本発明の実施の形態１における情報蓄積装置２０１のブロック図である。図１において、図１４と同様の動作を行う構成要素については、同じ符号を用いて説明を省略する。
【００３６】
図１において、情報蓄積装置２０１は、コンテンツリスト１１５を蓄積するコンテンツ情報記憶部２６０を備えている。制御部２１２は、従来例における制御部１１２の機能に加え、本体部２１０の記憶部１１１に蓄積されているコンテンツリスト１１５をコンテンツ情報記憶部２６０に書き込んだり、コンテンツ情報記憶部２６０に蓄積されたコンテンツリスト１１５を読み込んだりする。通信制御部２５０は、従来例における通信制御部１５０の機能に加え、コンテンツ情報記憶部２６０からコンテンツリスト１１５を読み取る。また、通信制御部２５０は、電源制御部１２０に対して、現在の情報蓄積装置２０１の動作モードを取得する動作モード確認命令を出し、その結果を受け取る。さらに通信制御部２５０は、電源制御部１２０に動作モード切替命令を出す。
【００３７】
コンテンツ情報記憶部２６０はハードディスクや半導体メモリなどである。記憶部１１１とは異なり、通常モードとスタンバイモードのいずれかに関わらず、利用可能である。
【００３８】
以上の構成に基づき、スタンバイモードで動作している情報蓄積装置２０１が、外部端末１０３からのコンテンツリスト取得要求を受けてコンテンツリスト１１５を送信する手順を、図２、図３を用いて説明する。
【００３９】
図３のステップ３０１において、情報蓄積装置２０１の通信部１４０は、外部端末１０３からコンテンツリスト要求メッセージを受け取ると（図２のステップＳ３１）、通信制御部２５０にそのメッセージを伝達する。次に、図３のステップ３０２に示すように、コンテンツリストを読み出す。この時、通信制御部２５０は、電源制御部１２０に対して動作モード確認命令を出す（図２のステップＳ３２）。  通信制御部２５０は、電源制御部１２０からスタンバイモードであるとの応答を受け取った場合、コンテンツ情報記憶部２６０からコンテンツリスト１１５を読み出して通信部１４０に渡す（図２のステップＳ３３）。以下同様にして、コンテンツリスト１１５が外部端末１０３に向けて送信される（図３のステップ３０３、図２のステップＳ３４）。
【００４０】
なお、処理ステップＳ３２において、通信制御部２５０は、電源制御部１２０から通常モードであるとの応答を受け取った場合、制御部２１２からコンテンツ情報記憶部２６０に蓄積されているコンテンツリスト１１５を受け取り、通信部１４０に渡す（図２のステップＳ３５）。
【００４１】
次に、コンテンツ情報記憶部２６０にコンテンツリスト１１５が蓄積される手順について、図４、図５を用いて説明する。
【００４２】
図４は、情報蓄積装置２０１が通常モードからスタンバイモードへ切り替わる時に、コンテンツリスト１１５がコンテンツ情報記憶部２６０に蓄積される手順である。
【００４３】
ユーザによって電源スイッチ１３０が押され、電源制御部１２０がモード切替命令を受け取った時、制御部２１２に対してモード切替処理命令が伝達される（ステップＳ４１）。この時、制御部２１２は、記憶部１１１からコンテンツリスト１１５を読み取る（ステップＳ４２）。そして、制御部２１２は、コンテンツ情報記憶部２６０にコンテンツリスト１１５を書き込む（ステップＳ４３）。その後、スタンバイモードへの移行を完了する。
【００４４】
図５は、記憶部１１１のコンテンツデータが変更された時に、コンテンツリスト１１５がコンテンツ情報記憶部２６０に蓄積される手順である。
【００４５】
記憶部１１１に新たなコンテンツデータが書き込まれた時（ステップＳ５１）、記憶部１１１のコンテンツリスト１１５が更新される（ステップＳ５２）。この時、制御部２１２は記憶部１１１から更新されたコンテンツリスト１１５を読み出し（ステップＳ５３）、コンテンツ情報記憶部２６０にコンテンツリスト１１５を書き込む（ステップＳ５４）。
【００４６】
以上のように、実施の形態１によれば、情報蓄積装置がスタンバイモードで動作している時に、外部端末からコンテンツリスト取得要求を受けた場合でも、通常モードへの移行を待たずしてコンテンツリストが送信できる。従って、外部端末を操作するユーザは、通常モードへの移行を待たずとも、コンテンツリストを得ることができ、長く待たされる必要がない。
【００４７】
なお、記憶部１１１は、ＤＶＤ−ＲＡＭのような、情報蓄積装置２０１から取り外し可能な記憶媒体であってもよい。この場合における、コンテンツ情報記憶部２６０にコンテンツリスト１１５を蓄積または削除する手順について、図６を用いて説明する。
【００４８】
図６の（ａ）に示すように、記憶部１１１が情報蓄積装置２０１に装着された時（ステップＳ６１）、制御部２１２は記憶部１１１からコンテンツリスト１１５を読み出し（ステップＳ６２）、コンテンツ情報記憶部２６０にコンテンツリスト１１５を書き込む（ステップＳ６３）。また、図６の（ｂ）に示すように、記憶部１１１が情報蓄積装置２０１から取り出された時（ステップＳ７１）、制御部２１２は、記憶部１１１に蓄積されていたコンテンツデータに関するコンテンツリスト１１５を、コンテンツ情報記憶部２６０から削除する（ステップＳ７２）。
【００４９】
以上のようにすれば、記憶部１１１が取り外し可能な形態であっても、コンテンツ情報記憶部２６０に蓄積されるコンテンツリストは、情報蓄積装置２０１で現在利用可能なコンテンツのみを示すことになる、従って、ユーザがコンテンツリストに基づいてコンテンツを閲覧しようとした時に、所望のコンテンツデータが情報蓄積装置２０１に存在しなかったという不具合を防止できる。
【００５０】
なお、記憶部１１１は、情報蓄積装置２０１に複数存在しても良い。この場合、それぞれの記憶部に対応したコンテンツリストを、コンテンツ情報記憶部２６０に蓄積する。この効果により、例えばハードディスクとＤＶＤ−ＲＡＭといった、取り外し可能な記憶部とそうでない記憶部が混在したとしても、コンテンツ情報記憶部２６０のコンテンツリストは、かかる手順により、現在利用可能なコンテンツのみを示すことになる。
【００５１】
また、通信部１４０は、無線ＬＡＮに接続するための無線インタフェースや、他の通信機器に対して無線ＬＡＮとの接続を提供するアクセスポイントでもよい。さらに、通信部１４０は、シリアルケーブルやＩＥＥＥ１３９４ケーブルなどを直接接続することができるインタフェースでも良い。
【００５２】
また、制御部２１２は、コンテンツリスト１１５をコンテンツ情報記憶部２６０に蓄積する代わりに、コンテンツ情報を取捨選択して蓄積してもよい。この効果により、ローカルでしか閲覧できないコンテンツのコンテンツ情報を送らなくて済む。また、制御部２１２は、コンテンツリストをコンテンツ情報記憶部２６０に書き込む際、適宜データ形式などを変換しても良い。この効果により、コンテンツ情報記憶部の容量を節約したり、ネットワーク帯域などに応じたコンテンツリストを作成したりすることができる。これらの操作は、通信制御部２５０がコンテンツリストを読み取る際にも行って良い。
【００５３】
また、本実施の形態では、電源スイッチ１３０によって動作モードが変更された時にコンテンツリストを書き込む手順を示したが、情報記憶装置２０１のタイマーなどによってスタンバイモードに移行する場合にも、図３に挙げる手順を行う。
【００５４】
また、ステップＳ３３において、コンテンツリストを送信する際に通常モードへの移行を行っても良い。この効果によって、コンテンツリストのコンテンツ情報を元に、外部端末を操作するユーザがコンテンツ閲覧要求を行った時の、通常モードへの移行にかかるユーザの待ち負担を削減することができる。
【００５５】
（実施の形態２）
図７は、本発明の実施の形態２における、情報蓄積装置３０１のブロック図である。図７において、既に説明した構成と同様のものは、同じ符号を用いて説明を省略する。
【００５６】
制御部３１２は、実施の形態１における制御部２１２の機能に加えて、記憶部１１１に蓄積されているコンテンツデータの一部を用いたダイジェストデータを作成する機能を有する。ダイジェストデータの例としては、コンテンツの先頭１０秒のデータや、コンテンツの解像度を落としたデータなどである。また、制御部３１２は、ダイジェストデータをコンテンツ情報記憶部３６０に書き込む。コンテンツ情報記憶部３６０は、コンテンツリスト１１５に加え、ダイジェストデータ３６１を蓄積する。ダイジェストデータ３６１は、コンテンツリスト１１５に含まれるコンテンツ情報と対応付けて蓄積される。通信制御部３５０は、実施の形態１における通信制御部２５０の機能に加えて、コンテンツ情報記憶部３６０からダイジェストデータ３６１を読み出す。
【００５７】
以上の構成に基づき、スタンバイモードで動作している情報蓄積装置３０１が、外部端末１０３からコンテンツ閲覧要求を受け、実際にコンテンツデータを送信するまでの手順を、図８を用いて説明する。
【００５８】
情報蓄積装置３０１の通信部１４０が、外部端末１０３からコンテンツ閲覧要求メッセージを受け取ると（ステップＳ８１）  、通信制御部３５０にメッセージが伝達される。この時、通信制御部３５０は、電源制御部１２０に対して動作モード確認命令を出す。そして、電源制御部１２０からスタンバイモードであるとの応答を受け取った場合、通信制御部３５０は、動作モード切替命令を電源制御部１２０に出す。このとき、通常モードへの移行が開始される（ステップＳ８２）。さらに、通信制御部３５０は、閲覧要求があった所望のコンテンツのダイジェストデータ３６１をコンテンツ情報記憶部３６０から読み取り、通信部１４０に渡す。ダイジェストデータ３６１は、通信部１４０から外部端末１０３に向けて送信される（ステップＳ８３）。そして、通信制御部３５０は、電源制御部１２０から、動作モード切替完了通知を受けるまで、ダイジェストデータ３６１をコンテンツ情報記憶部３６０から読み取り、通信部１４０に渡す。
【００５９】
その後、通信制御部３５０が動作モード切替完了の報告を受ける、すなわち、本体部２１０が起動すると（ステップＳ８４）、制御部３１２に対して所望のコンテンツのコンテンツデータ取得要求を伝達する。以下、同様にして、記憶部１１１から読み出された所望のコンテンツのコンテンツデータが通信部１４０に渡され、外部端末１０３に向けて送信される（ステップＳ８５）。
【００６０】
コンテンツ情報記憶部３６０にダイジェストデータ３６１が蓄積される手順は、実施の形態１と同様に、情報蓄積装置３０１が通常モードからスタンバイモードへ切り替わる時や、記憶部１１１のコンテンツデータが変更された時、記憶部１１１が装着または取り出された時である。この場合、コンテンツリスト１１５がコンテンツ情報記憶部３６０に書き込まれる時は、さらに記憶部１１１からコンテンツデータを読み出し、ダイジェストデータ３６１を作成してコンテンツ情報記憶部３６０に書き込む。コンテンツリスト１１５がコンテンツ情報記憶部３６０から削除される時は、さらにコンテンツ情報記憶部３６０からダイジェストデータを削除する。
【００６１】
以上のように、実施の形態２によれば、情報蓄積装置がスタンバイモードで動作している時に、外部端末からコンテンツ閲覧要求を受けた場合でも、通常モードへの移行中に所望のコンテンツのダイジェストデータが送信される。従って、外部端末を操作するユーザは、通常モードへの移行を待っている間、所望のコンテンツのダイジェストデータを閲覧できるので、コンテンツ閲覧にかかるユーザの待ち負担を軽減することができる。
【００６２】
なお、制御部３１２におけるダイジェストデータの作成と、ダイジェストデータのコンテンツ情報記憶部３６０への書き込みは、全てのコンテンツに対して行う必要は無い。コンテンツの利用回数などを考慮して取捨選択し、作成するダイジェストデータまたは書き込むダイジェストデータを決めても良い。この効果により、ダイジェストデータ作成および書き込みにかかる時間と、コンテンツ情報記憶部３６０の使用容量を削減することができる。
【００６３】
また、記憶部１１１に予めダイジェストデータを持たせておいても良い。この場合、制御部３１２は、コンテンツデータを読み込んでダイジェストデータを作成する代わりに、記憶部１１１からダイジェストデータを読み取り、そのままコンテンツ情報記憶部３６０に書き込む。この効果により、スタンバイモード移行時の、制御部３１２におけるダイジェストデータ作成の時間を省くことができる。
【００６４】
また、制御部３１２は、コンテンツリスト書き込み時にダイジェストデータを作成するのではなく、ＣＰＵ資源などの空き時間などに予めダイジェストデータを作成しておき、コンテンツ情報記憶部３６０や記憶部１１１に書き込んでも良い。
【００６５】
（実施の形態３）
図９は、本発明の実施の形態３における、情報蓄積装置４０１のブロック図である。図９において、既に説明した構成と同様のものは、同じ符号を用いて説明を省略する。
【００６６】
ここで、情報記憶装置４０１がスタンバイモードから通常モードに移行し、本体部４１０が起動するまでの時間を３０秒とする。
【００６７】
制御部４１２は、実施の形態１における制御部２１２の機能に加えて、記憶部１１１に蓄積されているコンテンツデータの冒頭部分のデータをプレビューデータとしてコンテンツ情報記憶部４６０に書き込む。但し、プレビューデータは３０秒以上の再生時間を持つものとする。
【００６８】
図１０は、コンテンツデータとプレビューデータの関係を表した図である。コンテンツデータがＤ１、Ｄ２、・・・Ｄｎ、Ｄｎ＋１、Ｄｎ＋２、・・・で構成されており、Ｄ１、Ｄ２、・・・、Ｄｎが再生時間３０秒分のプレビューデータとする。
【００６９】
コンテンツ情報記憶部４６０は、コンテンツリスト１１５に加え、プレビューデータ４６１を蓄積する。プレビューデータ４６１は、コンテンツリスト１１５に含まれるコンテンツ情報と対応付けて蓄積される。通信制御部４５０は、実施の形態１における通信制御部２５０の機能に加えて、コンテンツ情報記憶部４６０からプレビューデータ４６１を読み出す。
【００７０】
以上の構成に基づき、スタンバイモードで動作している情報蓄積装置４０１が、外部端末１０３からコンテンツ閲覧要求を受け、実際にコンテンツデータを送信するまでの手順を図１１、データの流れを、図１２を用いて説明する。
【００７１】
情報蓄積装置４０１の通信部１４０が、外部端末１０３からコンテンツ閲覧要求メッセージを受け取ると（図１１のステップＳ９１、図１２のステップＳ１２０１）、通信制御部４５０は、電源制御部１２０に対して動作モード確認命令を出す。そして、電源制御部１２０からスタンバイモードであるとの応答を受け取った場合、通信制御部４５０は、動作モード切替命令を電源制御部１２０に出す（図１２のステップＳ１２０２）。この時、通常モードへの移行処理が開始される（図９のステップＳ９２、図１２のＳ１２０３）。さらに通信制御部４５０は、閲覧要求があった所望のコンテンツのプレビューデータ４６１をコンテンツ情報記憶部４６０から読み出し、通信部１４０に渡す（図１２のステップＳ１２０４）。プレビューデータ４６１は、通信部１４０から外部端末１０３に向けて送信される（図９のステップＳ９３、図１２のステップＳ１２０５）。そして、通信制御部４５０は、電源制御部１２０から、動作モード切替完了の報告を受けるまで、プレビューデータ４６１を順次コンテンツ情報記憶部４６０から読み出し、通信部１４０に渡す（図１２のステップ１２０４、ステップＳ１２０５）。
【００７２】
その後、通信制御部４５０が動作モード切替完了の報告を受けると（図９のステップＳ９４、図１２のステップＳ１２０６，ステップＳ１２０７）、制御部４１２に対して所望のコンテンツのコンテンツデータ取得要求を伝達する（図１２のステップＳ１２０８）。この時、プレビューデータ４６１を用いて送信が完了した部分以降のデータを制御部４１２に要求する。例えば、図１０に示すように、コンテンツ情報記憶部４６０から読み出されたプレビューデータ４６１が、Ｄ１，Ｄ２，・・・Ｄｍ  であるとき、通信制御部４５０は、Ｄｍ＋１からのデータを制御部４１２に要求する。以下、同様にして、記憶部１１１から読み出された所望のコンテンツのコンテンツデータが通信部１４０に渡され（図１２のステップ１２０９）、外部端末１０３に向けて送信される（図９のステップＳ９５、図１２のステップ１２１０）。
【００７３】
以上のように、実施の形態３によれば、情報蓄積装置がスタンバイモードで動作している時に、外部端末からコンテンツ閲覧要求を受けた場合でも、通常モードへの移行中は所望のコンテンツのコンテンツデータが送信されることになる。従って、外部端末を操作するユーザは、コンテンツを閲覧する際に、通常モードへの移行を待つ必要がない。
【００７４】
なお、スタンバイモードから通常モードへの移行時間を３０秒としたが、これは一例であり、本発明の実施にいたっては実際の移行時間を踏まえてプレビューデータを用意する。
【００７５】
また、通信制御部４５０は、処理ステップＳ９５において、プレビューデータ以降のデータを制御部４１２に要求して受け取っても良い。すなわち、プレビューデータがＤ１，Ｄ２，・・・Ｄｎであるとき、Ｄｍ（ｍ＜ｎ）までしか読み出していなかったとしても、制御部４１２からはＤｎ＋１からのコンテンツデータを要求する。この時、Ｄｎまではコンテンツ情報記憶部４６０から読み出したプレビューデータを通信部１４０に渡すようにし、Ｄｎ＋１からは制御部４１２から受け取ったコンテンツデータを渡すようにする。この効果により、制御部４１２からのコンテンツデータの引渡しが遅れたとしても、データ送信を停止させること無く行うことができる。
【産業上の利用可能性】
【００７６】
本発明にかかる情報蓄積装置は、スタンバイモードであっても素早くコンテンツリストが取得できる特徴を有し、またコンテンツ取得の際にもユーザの待ち負担を軽減させることができるため、例えばスタンバイモードを備えたＨＤＤレコーダーやコンテンツサーバ等に利用できる。
【符号の説明】
【００７７】
１１１    記憶部
１１５    コンテンツリスト
１２０    電源制御部
１３０    電源スイッチ
１４０    通信部
２０１，３０１，４０１    情報蓄積装置
２１０，３１０，４１０    本体部
２１２，３１２，４１２    制御部
２５０，３５０，４５０    通信制御部
２６０，３６０，４６０    コンテンツ情報記憶部
３６１    ダイジェストデータ
４６１    プレビューデータ
【図１】
2011130450.tif 000003
【図２】
2011130450.tif 000004
【図３】
2011130450.tif 000005
【図４】
2011130450.tif 000006
【図５】
2011130450.tif 000007
【図６】
2011130450.tif 000008
【図７】
2011130450.tif 000009
【図８】
2011130450.tif 000010
【図９】
2011130450.tif 000011
【図１０】
2011130450.tif 000012
【図１１】
2011130450.tif 000013
【図１２】
2011130450.tif 000014
【図１３】
2011130450.tif 000015
【図１４】
2011130450.tif 000016
【図１５】
2011130450.tif 000017
【図１６】
2011130450.tif 000018
【図１７】
2011130450.tif 000019
【手続補正書】
【提出日】平成23年3月24日(2011.3.24)
【手続補正１】
【補正対象書類名】特許請求の範囲
【補正対象項目名】全文
【補正方法】変更
【補正の内容】
【特許請求の範囲】
【請求項１】
時間的に連続するデータを記憶する第１の記憶手段と、
前記データの一部を記憶する第２の記憶手段と、
前記第１の記憶手段に記憶された前記データおよび前記第２の記憶手段に記憶された前記データの一部を読み出す制御手段と、を備え、
前記第１の記憶手段が読み出し不能であり、前記第２の記憶手段が読み出し可能である第１の状態と、
前記第１の記憶手段および前記第２の記憶手段がともに読み出し可能である第２の状態と、を有し、
前記制御手段は、前記第１の状態から前記第２の状態に遷移するに際して、
前記第１の状態において、前記第２の記憶手段に記憶された前記データの一部の読み出しを開始し、
前記第２の状態において、前記第２の記憶手段に記憶された前記データの一部のうち、前記第２の記憶手段から既に読み出された部分の末尾に連続する位置から、前記第１の記憶手段に記憶された前記データの読み出しを開始する、
情報蓄積装置。
【請求項２】
前記制御手段は、前記第２の状態において、前記第１の記憶手段に記憶された前記データのうち前記データの一部を読み出し、前記第１の記憶手段から読み出された前記データの一部を前記第２の記憶手段に記憶させる、
請求項１に記載の情報蓄積装置。
【請求項３】
前記制御手段は、前記第２の状態から前記第１の状態に遷移するときに、
前記第１の記憶手段に記憶された前記データのうち前記データの一部の読み出しを開始する、
請求項２に記載の情報蓄積装置。
【請求項４】
前記データの一部の時間は、前記第１の状態から前記第２の状態に遷移するまでにかかる時間以上である、
請求項１から３のいずれか一項に記載の情報蓄積装置。